(57)【要約】【課題】十分な保型性、耐久性並びに透湿性を有していて施工性に優れ、しかも量産に適していて低コストにて供給でき、断熱材と野地板等の板材との間に容易且つ確実に通気層を形成するのに好適な、通気層形成用部材を提供することを課題とする。  【解決手段】不織布基材１を真空成形することにより、その全面に亘り、木枠２１間に形成しようとする通気層断面の短寸幅に相当する高さの中空突出部２〜４を多数配設して、中空突出部２〜４間の空隙を通気可能にし、不織布基材１の両側辺を外方向に延長し、その延長部分に谷折り部６と山折り部７を形成して幅方向に伸縮可能な伸縮側面５を形成する。この伸縮側面５を伸縮させて木枠２１間に配置した際に、伸縮側面５の復元力に伴う突っ張り力によって木枠２１間に係止可能となる。【選択図】図４
2015229879.tif 000002
【特許請求の範囲】
【請求項１】
不織布基材を真空成形することにより、前記不織布基材の全面に亘り、木枠間に形成しようとする通気層断面の短寸幅に相当する高さの中空突出部を多数配設して、前記中空突出部間の空隙を通気可能にし、前記不織布基材の両側辺を外方向に延長し、延長して形成される側面に、谷折り部と山折り部をそれぞれ少なくとも１つ設けることにより当該側面を幅方向に伸縮可能な伸縮側面としたことを特徴とする通気層形成用部材。
【請求項２】
前記伸縮側面を伸縮させて前記木枠間に配置した際に、前記伸縮側面の復元力に伴う突っ張り力によって前記木枠間に係止可能である、請求項１に記載の通気層形成用部材。
【請求項３】
前記伸縮側面が、前記木枠の内側面及び／又は下面に固定可能である、請求項１又は２に記載の通気層形成用部材。
【請求項４】
前記中空突出部の頂点部が、前記木枠間上面の板材に固定可能である、請求項１乃至３のいずれかに記載の通気層形成用部材。
【請求項５】
前記不織布基材は、目付が２００乃至３００ｇ／ｍ２のポリエステル素材製である、請求項１乃至４のいずれかに記載の通気層形成用部材。
【請求項６】
前記不織布基材は、白又はそれに近い色のものである、請求項１乃至５のいずれかに記載の通気層形成用部材。
【請求項７】
前記不織布基材は、片面又は両面にアルミ蒸着したものである、請求項１乃至６のいずれかに記載の通気層形成用部材。
【請求項８】
前記中空突出部は、前記不織布基材の長さ方向に長い錐形状である、請求項１乃至７のいずれかに記載の通気層形成用部材。
【請求項９】
前記各中空突出部間をつなぐように補強用リブが形成される、請求項１乃至８のいずれかに記載の通気層形成用部材。
【請求項１０】
前記中空突出部として、大きいサイズのものと小さいサイズのものとが含まれる、請求項１乃至９のいずれかに記載の通気層形成用部材。
【発明の詳細な説明】
【技術分野】
【０００１】
本発明は、通気層形成用部材に関するものであり、より詳細には、住宅の屋根、壁、床等に断熱材を配設するに際し、当該断熱材と野地板や外壁材等との間に通気層を確保するための通気層形成用部材に関するものである。
【背景技術】
【０００２】
例えば、屋根への断熱材の施工は、断熱材（マット状断熱材、ブロー式断熱材、吹き付け式断熱材、その他各種断熱材を含む。）を、野地板と垂木で形成される空間内に室内側から装填していくことにより行われるが、その装填に際し、当該断熱材と野地板との間に通気層が確保されるように施工される。そのために、断熱材の厚みが垂木の高さより少し短寸となるように設定される。
【０００３】
しかるに、断熱材は、野地板と垂木で形成される空間内に室内側から装填していくために、断熱材と野地板との間に、断熱材の厚みと垂木の高さの寸法差に相当する空間を保持することは容易なことではなく、押し込み過ぎによりその空間が潰されてしまうことが少なくないため、実際、十分な通気層を確保することは困難なことである。
【０００４】
そこで、断熱材と野地板との間に容易且つ確実に通気層を形成するために、断熱材の装填に先立ち、垂木間に通気層形成用部材を配設することが行われている。従来のこの種通気層形成用部材としては、段ボールを折曲して縦方向にスペーサー機能を持たせ、且つ、幅方向にある程度の弾性力を持たせたものがある。この段ボール製の部材は、低廉で取り扱いやすいという利点があるが、耐久性に欠け、経時的に性能が劣化するという問題がある。また、ポリスチレンフォームにアルミ蒸着した製品も存するが、この製品の場合は透湿性に欠け、湿気がこもりやすいという問題がある。
【０００５】
また、断熱材として、現場発泡ウレタン等を用いることがある。その場合、通気層形成用部材設置後、当該発泡材を通気層形成用部材に直接吹き付けて発泡材が所定の断熱材厚みにまで膨張するのを待つが、その際、発泡材が膨張するにつれて通気層形成用部材が室内側に引っ張られて反り返りが起こりやすい傾向にある。そして、その結果、その通気層形成用部材の反り返り部分における断熱材が室内側に膨出することになり、その膨出部分が削り取られるためにその部分の断熱材の厚みが不足することになる。しかし、従来、このような事態の発生を回避するための対策は何ら講じられていなかった。
【０００６】
上記従来技術における諸問題に鑑み、本出願人は先に、十分な保型性、耐久性並びに透湿性を有していて施工性に優れ、しかも量産に適していて低コストにて供給でき、断熱材と野地板等の板材との間に容易且つ確実に通気層を形成するのに好適な、通気層形成用部材を提供するために、「不織布基材を真空成形することにより、前記不織布基材の全面に亘り、木枠間に形成しようとする通気層の短寸幅に相当する高さの中空突出部を多数配設し、前記中空突出部間の空隙を通気可能にして成り、前記不織布基材の周縁部と前記中空突出部の頂点部のうちの少なくとも一方を、前記木枠又は前記木枠間の板材に固定可能にした通気層形成用部材」を提案した（特開２０１３−１９９８２１号公報）。
【先行技術文献】
【特許文献】
【０００７】
【特許文献１】特開２０１１−１２４１４号公報
【特許文献２】特開２０１０−３７８２６号公報
【特許文献３】特開２００１−２２７０８０号公報
【特許文献４】特開２０１３−１９９８２１号公報
【発明の概要】
【発明が解決しようとする課題】
【０００８】
然るに、上記提案に係る通気層形成用部材の場合、不織布基材の周縁部と中空突出部の頂点部のうちの少なくとも一方が、木枠又は木枠間の板材に固定可能とされているが、
その固定作業は、具体的には、通気層形成用部材がずり落ちないように手で押さえながら、その周縁部を垂木にタッカー留めしていくものである。また、その際、不織布基材の周縁部を垂木にあてがうために当該周縁部をその都度折っていかなければならず、しかも、その作業は、長尺な製品の長さ方向に連続して行っていく必要があるため、手間がかかり、熟練を要する作業となる。
【０００９】
より具体的には、実際の現場においては、垂木の内側面ではなく、その周縁部を垂木の下面（室内対向面）に折り返して留め付ける職人の方が多い。そして、その場合、垂木と母屋の取り合い部などは、製品に切り込みを入れたりする必要があるため、その分余計に手間がかかっているのが現状である。
【００１０】
そこで本発明は、断熱材と野地板との間に容易且つ迅速に通気層を形成することができ、殊に、施工に際し、垂木に対するタッカー留め等の作業を極めて容易且つ迅速に行うことが可能な通気層形成用部材を提供することを課題とする。
【課題を解決するための手段】
【００１１】
上記課題を解決するための請求項１に記載の発明は、不織布基材を真空成形することにより、前記不織布基材の全面に亘り、木枠間に形成しようとする通気層断面の短寸幅に相当する高さの中空突出部を多数配設して、前記中空突出部間の空隙を通気可能にし、前記不織布基材の両側辺を外方向に延長し、延長して形成される側面に、谷折り部と山折り部をそれぞれ少なくとも１つ設けることにより当該側面を幅方向に伸縮可能な伸縮側面としたことを特徴とする通気層形成用部材である。
【００１２】
一実施形態においては、前記伸縮側面を伸縮させて前記木枠間に配置した際に、前記伸縮側面の復元力に伴う突っ張り力によって前記木枠間に係止可能である。また、一実施形態においては、前記伸縮側面が、前記木枠の内側面及び／又は下面に固定可能であり、更に、前記中空突出部の頂点部が、前記木枠間上面の板材に固定可能である。
【００１３】
また、一実施形態においては、前記不織布基材は、目付が２００乃至３００ｇ／ｍ２のポリエステル素材製のものとされる。また、一実施形態においては、前記不織布基材は、白又はそれに近い色のものとされ、他の実施形態においては、前記不織布基材は、片面又は両面にアルミ蒸着したものとされる。更に他の実施形態においては、前記中空突出部は、前記不織布基材の長さ方向に長い錐形状のものとされ、前記各中空突出部間をつなぐように補強用リブが形成され、更に、前記中空突出部として、大きいサイズのものと小さいサイズのものとが含まれる。
【発明の効果】
【００１４】
本発明は上述したとおりであって、不織布基材の両側辺を外方向に延長し、延長して形成される側面に、谷折り部と山折り部をそれぞれ少なくとも１つ設けることにより当該側面を幅方向に伸縮可能な伸縮側面として成るものであるため、その伸縮側面を伸縮させて前記木枠間に配置した際に、前記伸縮側面の復元力に伴う突っ張り力によって前記木枠間に係止可能となる。従って、通気層形成用部材を一旦木枠間にセットした後、手を離しても脱落することがないので、その後のタッカー留め等の作業を難なく迅速に行うことが可能となる効果がある。
【００１５】
また、不織布基材を真空成形することにより、前記不織布基材の全面に亘って多数の中空突出部を形成して成るものであるため、量産に適していて低コストにて供給でき、しかも、ある程度の剛性を有する不織布製であるために耐久性、施工性及び透湿性に富み、中空突出部が保形性を有するために各中空突出部間に長さ方向の通気スペースが確保され、以て、断熱材と野地板等の板材との間に十分な通気層を簡単確実に形成し得る効果がある。  
【００１６】
また、請求項３、４に記載の発明においては、周縁部及び／又は中空突出部の頂点部が木枠又は木枠間の板材に恒久的に固定されるため、現場発泡ウレタン工法による場合において、発泡材の膨張に伴って通気層形成用部材が室内側に引っ張られることがなく、以て、断熱材が不必要に削り取られることで断熱材の厚みが不足する事態の発生が回避される効果がある。
【００１７】
更に、現場発泡ウレタン工法の場合、原液が不織布製の本通気層形成用部材に含浸されるため、発泡して形成される断熱材の自己接着力が増大して本通気層形成用部材に完全に一体化する。そのため、断熱材が本通気層形成用部材から脱落するおそれがなくなるだけでなく、建物解体時に断熱材を周辺木材から分離する際に、本通気層形成用部材と一体に行うことができるために分離・分別が容易となるという効果がある。
【図面の簡単な説明】
【００１８】
【図１】本発明に係る通気層形成用部材の一実施形態の構成を示す平面図である。
【図２】図１におけるＡ−Ａ線及びＢ−Ｂ線断面図である。
【図３】図１におけるＣ−Ｃ線断面図である。
【図４】本発明に係る通気層形成用部材の使用形態を示す概略図である。
【図５】本発明に係る通気層形成用部材の施工方法を示す斜視図である。
【図６】本発明に係る通気層形成用部材の施工状態を示す概略図である。
【図７】本発明に係る通気層形成用部材の他の施工方法を、従来例と比較して示す断面図である。
【発明を実施するための形態】
【００１９】
本発明を実施するための形態につき、添付図面を参照しつつ説明する。以下に説明する例は、本通気層形成用部材Ｓを用いて断熱材を屋根に施工する場合のものであるが、壁や床に施工する場合も、基本的には、屋根の場合と同様にして実施する。
【００２０】
本発明に係る通気層形成用部材Ｓは、不織布基材１を真空成形することにより、不織布基材１の全面に亘って多数の中空突出部２〜４を配設して形成され、中空突出部２〜４間の空隙が通気可能となるようにされる。そのために中空突出部２〜４は、木枠（垂木２１）間に形成しようとする通気層の断面の短寸幅（屋根の場合は高さであり、壁の場合は奥行である。）に対応する高さとされる。
【００２１】
不織布基材１は、ある程度の剛性を持たせるために、好ましくは、目付が２００乃至３００ｇ／ｍ２のポリエステル素材製とする。また、太陽光を反射させて遮熱効果を得るために、不織布基材１としては、白又はそれに近い色のものを用いることが好ましい。そのためには不織布基材１として、それ自体が白又はそれに近い色のものを用いることができることはもちろん、片面又は両面にアルミ蒸着したものを用いることもできる。
【００２２】
不織布基材１の中空突出部２〜４を設ける部分の幅（基材幅）は、それが施工される垂木（木枠）２１間の間隔に対応する幅に設定される。但し、垂木２１のピッチは地域の特性によって種々存在するので、基材幅は、一般に施工されている例の中で、一番狭い間隔（図４（Ａ）のＤ１参照）に合わせて設定される。また、不織布基材１の両側辺は外方向に延長され、その延長部分は、谷折り部６と山折り部７をそれぞれ少なくとも１つ設けることにより、幅方向に伸縮可能な伸縮側面５とされる。この伸縮側面５の作用については後述する。
【００２３】
通例、中空突出部２〜４は同じ高さ及び大きさに形成されるが、高さ及び大きさは必ずしも均一である必要はない。また、その形状も特に問わないが、好ましくは、通気効率を考慮して、長さ方向、換言すれば、通気方向（図１において上下方向）に長い錐形状のものとする。通例、中空突出部２〜４は規則的に配置されるが、ランダムな配置であってもよい。但し、各中空突出部２〜４間に十分な通気スペースを生成させるために、余り密な配列とならないようにする必要がある。
【００２４】
図１に示す実施形態においては、大きいサイズの中空突出部２が２列配設され、その間に小さいサイズの中空突出部３の列が配設され、また、幅方向端部に外方に抜ける大きいサイズの中空突出部４の列が配設されている。そして、大きいサイズの中空突出部２に対し、小さいサイズの中空突出部３と端部の大きいサイズの中空突出部４が長さ方向にずらされて配置されている（図１参照）。そして、好ましくは、不織布基材１の長さ方向両端部に、低い突条又は浅い縦長溝である補強用リブ８が形成され、また、各中空突出部２〜４間をつなぐように、補強用リブ８と同様の補強用リブ９が形成される。
【００２５】
上記中空突出部２〜４並びに補強用リブ８、９の形状及び配置はあくまで一例であって、これに限られる訳ではなく、本発明において企図する通気性を確保し得る態様であれば、他の種々の態様となし得ることは言うまでもない。
【００２６】
本発明に係る通気層形成用部材Ｓを用いて屋根部分へ断熱材を施工するに際しては、先ず、室内側から、野地板２２が張られた各垂木２１間に通気層形成用部材Ｓを複数、中空突出部２〜４を上にし、長さ方向に連続させて嵌め付けていく（図５におけるａ列、ｂ列参照）。その際、端部を重ねてつなぎ合わせて配置していってもよいし、端面を突き合わせて配置していくこととしてもよい。
【００２７】
上述したように、不織布基材１の基材幅は、一般に施工されている例の中で、一番狭い間隔Ｄ１に合わせて設定され、且つ、不織布基材１の両側辺に幅方向に伸縮可能な伸縮側面５が形成されるため、非負荷時における通気層形成用部材Ｓ全体の幅Ｄ３は、必然的に、垂木２１のピッチ幅Ｄ１、Ｄ２等よりも大ということになる。従って、通気層形成用部材Ｓは、伸縮側面５を押し縮めるようにして垂木２１間に収めていくことになる（図４参照）。このようにして垂木２１間に押し込まれた通気層形成用部材Ｓは、両側の伸縮側面５の復元力が突っ張り力となって垂木２１間に引掛かるため、手を離しても脱落することはなく、その後の作業が容易となる。
【００２８】
その後断熱材２３を、通気層形成用部材Ｓが嵌装された垂木２１間の空間内に室内側から順次装填していき（図５におけるｃ列参照）、断熱材２３をすべての垂木２１間へ装填した後（図５におけるｄ列参照）、一般的には、防湿気密シートを貼付し、その後、下地材として石膏ボードを張って、施工完了となる。かくして、断熱材２３と野地板２２との間に通気層形成用部材Ｓが介在することにより、その部分に通気層が形成されることとなり、以て、軒先から棟に抜ける通気が可能となる（図６参照）。
【００２９】
なお、断熱材２３として、現場発泡ウレタン等が用いられることが少なくないが、その場合は、通気層形成用部材Ｓの垂木２１又は野地板２２に当接する部分、即ち、伸縮側面５及び／又は中空突出部２〜４の頂点部を、タッカー留め等により固定しておくことが好ましい。特に、中空突出部２〜４の頂点部を野地板２２に固定した場合には、発泡材の膨張に伴って通気層形成用部材Ｓが室内側に引っ張られることがなくなり、それが室内側に引っ張られることにより生ずる断熱材の膨出部分が、不必要に削り取られることで断熱材の厚み不足を招く、といった事態が発生することがなくなる。
【００３０】
特に、本発明に係る通気層形成用部材Ｓの場合は、中空突出部４を利用して、伸縮側面５を、垂木２の高さに関係なくその内側面にタッカー留めすることができ、更に、伸縮側面５の残余部を垂木２１の下面に回し、その部分を垂木２１の下面にタッカー留めすることができる（図７（Ａ）参照）。これに対して従来のダンボール製品においては、垂木２１の高さが高い場合には垂木２１の側面にタッカー留め可能であるが（図７（Ｂ）右半部参照）、垂木２１の高さが低い場合は、垂木２１の側面にタッカー留めすることができない（図７（Ｂ）左半部参照）。
【００３１】
上記のとおり、本発明に係る通気層形成用部材Ｓは、不織布基材１を真空成形することにより、不織布基材１の全面に亘って多数の中空突出部２〜４を配設して成るので、断熱材２３の設置に先立って垂木２１間に配置することにより、中空突出部２〜４の高さに対応する通気スペースができ、そこにおいて良好な通気がなされ、以て、断熱性能の向上を実現することが可能となる。
【００３２】
また、断熱材２３の施工を現場発泡ウレタン工法によって行う場合は、通気層形成用部材Ｓが不織布製であるために、その全体に亘って発泡原液が十分含浸される。そして、その状態で発泡するために、断熱材２３は、通気層形成用部材Ｓの上面側においても薄く形成される。かくして、断熱材２３の通気層形成用部材Ｓに対する自己接着力が増大し、断熱材２３は通気層形成用部材Ｓと完全に一体化するため、断熱材２３が通気層形成用部材Ｓ、換言すれば、垂木２１間から脱落するおそれはない。
【００３３】
また、その場合、通気層形成用部材Ｓの上面側において中空突出部２等に薄く形成された断熱材２３は、野地板２２、並びに、垂木２１の内側面や下面にも自己接着して安定状態を保持する。その場合野地板２２等に対しては、面状ではなく、点状に接触して自己接着するため、建物解体時等において、断熱材２３を通気層形成用部材Ｓと一体に野地板２２等の周辺部材から分離することが容易となり、廃棄資材の分別も容易となる。
【００３４】
この発明をある程度詳細にその最も好ましい実施形態について説明してきたが、この発明の精神と範囲に反することなしに更に異なる実施形態を構成することができることは明白である。従って、この発明は添付請求の範囲において限定した以外は、その特定の実施形態に制約されるものではないことは言うまでもない。
【符号の説明】
【００３５】
Ｓ      通気層形成用部材
１      不織布基材
２、３、４  中空突出部
５      伸縮側面
６      谷折り部
７      山折り部
８、９    補強用リブ
２１    垂木
２２    野地板
２３    断熱材
【図１】
2015229879.tif 000003
【図２】
2015229879.tif 000004
【図３】
2015229879.tif 000005
【図４】
2015229879.tif 000006
【図５】
2015229879.tif 000007
【図６】
2015229879.tif 000008
【図７】
2015229879.tif 000009